(57)【要約】  本発明は、放射放出オプトエレクトロニクス素子（２０）のクラス分類方法に関し、放射放出オプトエレクトロニクス半導体素子（２０）を準備するステップと、放射放出オプトエレクトロニクス半導体素子（２０）から動作時に放出された光の色度座標（８）を求めるステップと、放射放出オプトエレクトロニクス半導体素子（２０）を、求められた色度座標を含む所定の色度座標領域（６）に分類するステップとを備えている。
2013513228.tif 000002
【特許請求の範囲】
【請求項１】
放射放出オプトエレクトロニクス半導体素子（２０）のクラス分類方法において、
放射放出オプトエレクトロニクス半導体素子（２０）を準備するステップと、
前記放射放出オプトエレクトロニクス半導体素子（２０）から動作時に放出された光の色度座標（８）を求めるステップと、
前記放射放出オプトエレクトロニクス半導体素子（２０）を、前記求められた色度座標を含む所定の色度座標領域（６）に分類するステップとを備えており、
但し、前記所定の色度座標領域（６）は、複数の色度座標領域から成るグループ（７）の中から選択され、前記複数の色度座標領域から成るグループの中から選択された複数の色度座標領域の内の少なくとも一つの色度座標領域は青色の色度座標を含む、及び／又は、相関色温度に対応付けることができない色度座標を含むことを特徴とする、放射放出オプトエレクトロニクス半導体素子（２０）のクラス分類方法。
【請求項２】
前記複数の色度座標領域から成るグループ（７）の中から選択された複数の色度座標領域の内の少なくとも一つの色度座標領域は、拡張されたプランクの曲線（１２）によって区切られるか、又は、拡張されたプランクの曲線（１２）に接しており、該拡張されたプランクの曲線（１２）はプランクの曲線（１１）の高温終点（Ｔｕ）において該プランクの曲線（１１）に続いており、該プランクの曲線（１１）と共に複合的な曲線（１）を形成する、請求項１に記載の方法。
【請求項３】
前記拡張されたプランクの曲線（１２）は前記プランクの曲線（１１）の高温終点（Ｔｕ）において、少なくとも一回連続微分可能に前記プランクの曲線（１１）に続いている、請求項２に記載の方法。
【請求項４】
前記拡張されたプランクの曲線（１２）はＣＩＥｕ’ｖ’色空間において少なくとも二次のスプラインである、請求項３に記載の方法。
【請求項５】
前記拡張されたプランクの曲線（１２）は前記ＣＩＥｕ’ｖ’色空間において二次のベジェスプラインである、請求項４に記載の方法。
【請求項６】
前記スプラインを構成するための点（Ｔｕ）は前記プランクの曲線（１１）の高温終点である、請求項４又は５に記載の方法。
【請求項７】
前記スプラインを構成するための点（Ｐ）は、前記高温終点（Ｔｕ）における前記プランクの曲線（１２）への接線（１４）上の点である、請求項４乃至６のいずれか一項に記載の方法。
【請求項８】
前記スプラインを構成するための点（Ｓ）はスペクトル軌跡（２）上に位置する、請求項４乃至７のいずれか一項に記載の方法。
【請求項９】
前記複数の色度座標領域から成るグループ（７）の中から選択された各色度座標領域に一つのアドレスを対応付け、
前記アドレスは、前記プランクの曲線（１２）の前記高温終点（Ｔｕ）から、複合的な曲線（１）に沿った色度座標領域までの距離を表す、第１のパラメータ（ｐ）を有しており、且つ、
前記アドレスは、ジャッド直線（４）に沿った前記複合的な曲線（１）から色度座標領域までの距離を表す、第２のパラメータ（ｊ）を有している、請求項１乃至８のいずれか一項に記載の方法。
【請求項１０】
前記複数の色度座標領域から成るグループ（７）の中から選択された各色度座標領域の大きさを、観察者が同一の色度座標領域に由来する色に関して差異を認識しないように選定する、請求項１乃至９のいずれか一項に記載の方法。
【請求項１１】
前記複数の色度座標領域から成るグループ（７）の中から選択された各色度座標領域の大きさは、最大で３ステップマクアダム楕円の大きさに対応する、請求項１乃至１０のいずれか一項に記載の方法。
【請求項１２】
前記複数の色度座標領域から成るグループ（７）の中から選択された各色度座標領域の大きさは、１ステップマクアダム楕円（５）の大きさとほぼ同じであるか又は同じである、請求項１乃至１１のいずれか一項に記載の方法。
【請求項１３】
複合的な曲線に沿って測定された、前記複数の色度座標領域から成るグループ（７）の中から選択された各色度座標領域の大きさ（ｐ）はＣＩＥｕ’ｖ’色空間において少なくとも０．００１且つ最大で０．００５である、請求項１乃至１２のいずれか一項に記載の方法。
【請求項１４】
前記ジャッド直線（４）に沿って測定された、前記複数の色度座標領域から成るグループ（７）の中から選択された各色度座標領域の大きさ（ｊ）はＣＩＥｕ’ｖ’色空間において少なくとも０．００１且つ最大で０．００５である、請求項１乃至１３のいずれか一項に記載の方法。
【請求項１５】
前記所定の色度座標領域（６）に関する測定値をメモリユニット（２１）に格納し、該メモリユニット（２１）は前記放射放出オプトエレクトロニクス半導体素子（２０）のためのモジュール支持体（２２）上に固定されており、且つ該モジュール支持体（２２）に電気的に接続されている、請求項１乃至１４のいずれか一項に記載の方法。
【発明の詳細な説明】
【技術分野】
【０００１】
本発明は、放射放出オプトエレクトロニクス半導体素子のクラス分類方法に関する。放射放出オプトエレクトロニクス半導体素子として、例えばルミネセンスダイオード、即ちレーザダイオード又は発光ダイオードが考えられる。
【０００２】
放射放出オプトエレクトロニクス半導体素子の使用領域の多くにおいては、規格によって厳密に規定された発光色が設定される。製造プロセスに起因して、ある一つのタイプ及びメーカの放射放出オプトエレクトロニクス半導体素子において、直接的な比較において色差が際立つ可能性がある。従って、放射放出オプトエレクトロニクス半導体素子を相互に段階付けられたクラスもしくはビン（英語：bin）に分類すること、即ちクラス分類もしくはビニング（英語：binning）を行うことが必要になることが多い。
【０００３】
クラス分類のための規格化されたシステムが既に多数存在している。
【０００４】
刊行物US 6,900,471 B1には、青色の色度座標及び相関色温度を対応付けることができない色度座標を使用できない、クラス分類方法が開示されている。
【０００５】
クラス分類の別の公知のシステムは例えばＡＮＳＩクラス分類である。このクラス分類システムの利点は、このクラス分類システムが標準化されたクラス分類システムであるということである。更には、この分類システムのクラスはプランクの曲線（完全放射体軌跡（planckian locus）又は黒体軌跡（blackbody locus）とも称される）並びに同じ相関色温度の等温線ジャッド直線に合わせられている。クラスが色温度の領域全体にわたりジャッド直線についてもプランクの曲線についてもセンタリングされていないことが欠点として確認されている。更には、標準的なＬＥＤの用途に関して個々のクラスの大きさが過度に大きい。より細かいクラス分類を行なうために同じ大きさのサブクラスにクラスを分類することは不可能である。最後に、ＡＮＳＩクラス分類システムは全ての色度座標領域をカバーすることができず、それどころか相関色温度を対応付けることができる全ての色度座標領域もカバーすることができない。
【０００６】
本発明が解決すべき課題は、多数の異なる放射放出オプトエレクトロニクス半導体素子の一貫性のあるクラス分類を実現する、クラス分類方法を提供することである。
【０００７】
クラス分類方法の少なくとも一つの実施の形態によれば、先ず、放射放出オプトエレクトロニクス半導体素子が準備される。半導体素子は例えばレーザダイオード、レーザダイオードチップ、発光ダイオード又は発光ダイオードチップである。
【０００８】
後続の方法ステップにおいては、動作時に放射放出オプトエレクトロニクス半導体素から放出される光の色度座標が求められる。色度座標を決定するために例えば分光測色器が使用される。
【０００９】
色度座標を任意の色空間に基づき求めることができる。原理的には、ある色を一義的にその色度座標によって表すためにはいずれの色空間も適している。もっとも、比較及び再現性を達成するためには、色度座標が有利には正規化された色空間において決定される。例えば色度座標を、複数有るＣＩＥ色空間系の内の一つにおいて決定することができるか、又はＤＩＮ色空間系において決定することができる。
【００１０】
続く方法ステップにおいては、求められた色度座標を含む所定の色度座標領域、即ちクラスへの放射放出オプトエレクトロニクス半導体素子の分類が行なわれる。
【００１１】
使用される色空間系はこのために複数の色度座標領域から成るグループに分割される。即ち、所定の色度座標領域は放射放出オプトエレクトロニクス半導体素子を分類することができるクラスである。分類は例えば、求められた色度座標と所定の色度座標領域に分類されている色空間との比較、並びに、放射放出オプトエレクトロニクス半導体素子の、この放射放出オプトエレクトロニクス半導体素の求められた色度座標が存在する所定の色度座標領域への対応付けによって行なわれる。
【００１２】
クラス分類方法の少なくとも一つの実施の形態によれば、所定の色度座標領域が複数の色度座標領域から成るグループの中から選択され、ここで複数の色度座標領域から成るグループの中の少なくとも一つの色度座標領域は青色の色度座標を含む。即ち、分類に使用される複数の所定の色度座標領域、つまりクラス又はBinは、相関色温度を対応付けることができない青色の色度座標を有する少なくとも一つの色度座標領域を含んでいる。
【００１３】
クラス分類のための上述の従来のシステムにおいては、相関色温度を対応付けることができる色度座標領域しか存在しないので、青色の色度座標を有する色度座標領域は使用できない。即ち、クラス分類のためのそれらのシステムにおいては、放射放出オプトエレクトロニクス半導体素子の分類は、プランクの曲線の高温終点、即ち水色の色度座標において終了している。
【００１４】
有利には、全ての色空間、又は実質的に全ての色空間を張る複数の色度座標領域から成るグループの中から所定の色度座標領域が選択される。即ち、複数の色度座標領域から成るグループの中から選択された複数の所定の色度座標領域を用いて、使用される全ての色空間、又は使用される実質的に全ての色空間を構成することができるので、あらゆる色度座標を所定の色度座標領域に対応付けることもできる。このようにして、全く異なる半導体素子、例えば赤色、緑色、青色又は黄色のようなカラー発光ダイオード、しかしながらまた白色発光ダイオードについて一貫性のあるクラス分類を実現することができる。「実質的に」全ての色空間とは、色空間の小さい領域、例えば色空間のマゼンダ色の領域が場合によっては使用されないことを意味している。
【００１５】
本方法の少なくとも一つの実施の形態によれば、複数の色度座標領域から成るグループの中から選択された複数の所定の色度座標領域の内の少なくとも一つの所定の色度座標領域、即ち、分類を行なうことができる考えられる複数のクラスの内の一つのクラスが拡張されたプランクの曲線によって区切られるか、又は拡張されたプランクの曲線に直接的に接している。拡張されたプランクの曲線は、プランクの曲線の高温終点においてプランクの曲線に続いている。即ち、色温度が無限大に近付く高温終点において終端するプランクの曲線はこの点において青色の色度座標へと延長される。
【００１６】
換言すれば、使用される色空間には、拡張されたプランクの曲線とプランクの曲線とから成る複合的な曲線が通っている。複数の色度座標領域から成るグループの中から選択された複数の色度座標領域の内の少なくとも一つの色度座標領域、有利には多数の色度座標領域は複合的な曲線に接しているか、又は、複合的な曲線によって区切られる。この場合、複合的な曲線は使用される色空間を有利には二つの別個の領域、即ち、曲線よりも上の領域と曲線よりも下の領域に区分する。このために、複合的な曲線は色空間の縁部からその色空間の反対側の縁部へと延びている。即ち、プランクの曲線とは異なり、複合的な曲線は色空間の中心において終端していない。
【００１７】
有利には、プランクの曲線は拡張されたプランクの曲線によって、その高温終点において少なくとも一回連続微分可能に、即ち平滑に延長される。即ち、複合的な曲線はプランクの曲線の高温終点において少なくとも一回連続微分可能である。
【００１８】
複合的な曲線がこの点において二回又は複数回連続微分可能であることも考えられる。
【００１９】
複合的な曲線が例えば高温終点において二回連続微分可能である場合には、所定の色度座標領域の大きさは、それらの色度座標領域が複合的な曲線から大きく離れた位置にある場合でも非常に均一である。即ち、全体の色空間にわたり、色度座標領域の大きさは跳躍的に変化しない、又は殆ど跳躍的に変化しない。
【００２０】
本発明による方法は、殊に、高温終点（相関色温度が無限大に向かう点）が、物理的に構成された色空間を二つの領域、即ち、相関色温度を有する色度座標及び相関色温度を有していない色度座標に分類する点であるという認識を基礎としている。青色の色度座標の方向へのプランクの曲線の拡張ないし延長は、従来のクラス分類システムでは使用することができない色空間の領域の分類も実現する。
【００２１】
本方法の少なくとも一つの実施の形態によれば、拡張されたプランクの曲線はＣＩＥｕ’，ｖ’色空間において少なくとも二次のスプラインである。即ち、拡張されたプランクの曲線はＣＩＥｕ’，ｖ’色空間において、二次のスプライン又はそれよりも大きい次数のスプラインである。二次のスプラインはプランクの曲線の拡張に非常に適していることが分かった。特に、二次のベジェスプラインが、青色の色度座標の領域にプランクの曲線を拡張するための最も簡単で明白な可能性であることが分かった。ＣＩＥｕ’，ｖ’色空間とは異なる色空間においては、拡張されたプランクの曲線の変換をスプラインとは異なる関数によっても表すことができる。しかしながら、ＣＩＥｕ’，ｖ’色空間への逆変換により最初のスプラインが得られる。
【００２２】
特に二次のスプラインを構成するためには三つの点が必要になる。
【００２３】
本方法の少なくとも一つの実施の形態によれば、スプラインを構成するための点としてプランクの曲線の高温終点Ｔｕが選択される。このようにして、プランクの曲線は高温終点において連続的に延長される。
【００２４】
本方法の少なくとも一つの実施の形態によれば、スプラインを構成するための点Ｐとして、高温終点におけるプランクの曲線への接線上の点が選択される。このことは、複合的な曲線が高温終点において連続微分可能であることを実現する。
【００２５】
例えば、高温終点におけるプランクの曲線への接線とスペクトル軌跡との交点を選択することができる。スペクトル軌跡は、色空間、例えば馬蹄状のＣＩＥ色空間を包囲する、スペクトル的に純粋な色の軌跡である。色空間の下側の終端はこの場合、純紫軌跡によって縁取られる。
【００２６】
本方法の少なくとも一つの実施の形態によれば、スプラインを構成するための点Ｓとして、スペクトル軌跡上の点が選択される。このために、少なくとも３６０ｎｍ及び最大で４１０ｎｍの波長を有する点、例えばスペクトル軌跡上の３８０ｎｍの点が有意義であることが分かった。例えば３８０ｎｍの点は、この点が人間の目によって依然として認識することができる最短波長を有するスペクトル色を表すことによって特徴付けられている。
【００２７】
有利には、二次のスプラインが上述の三つの点に基づき構成される。スプラインをＣＩＥｕ’，ｖ’色空間において例えば以下のように表すことができる：
スプライン（ｔ）＝Ｔｕ＊（１−ｔ）＾２＋Ｐ＊ｔ＊（１−ｔ）＋Ｓ＊ｔ＾２、但しｔは［０；１］の範囲にある；
【００２８】
これによって拡張されたプランクの曲線は原点ｔ＝０において値Ｔｕを有しており、且つ、その終点ｔ＝１において値Ｓを有している。
【００２９】
色空間内の点の位置、即ち、色空間内の複数の点の色度座標及び色位置は、色空間系の選択に依存している。しかしながらそれらの点をあらゆる色空間系において一義的に表すことができるので、放射放出オプトエレクトロニクス半導体素子の本発明によるクラス分類方法は色空間に依存しない。この場合、色度座標領域への分類はプランクの曲線、また上述の構成点によって物理的に動機付けられる、青色の色度座標領域へのプランクの曲線の延長にのみ依存する。
【００３０】
本方法の少なくとも一つの実施の形態によれば、複数の色度座標領域から成るグループの中から選択された各色座標領域に一つのアドレスが対応付けられる。アドレスは第１のパラメータを有しており、この第１のパラメータは、複合的な曲線に沿った色度座標領域の、プランクの曲線の高温終点からの距離又は経路長を表す。即ち、第１のパラメータは複合的な曲線に沿って測定される。複合的な曲線の相応の領域の実際の長さが決定される。
【００３１】
更にアドレスは第２のパラメータを有しており、この第２のパラメータは、ジャッド直線に沿った複合的な曲線からの色度座標領域の距離又は経路長を表す。ジャッド直線の構成は、プランクの曲線及び拡張されたプランクの曲線に関する構成規則と同じ構成規則を用いて延長される。例えば、それらの線はＣＩＥ１９６０（ｕｖ）色空間を使用する場合には、複合的な曲線、即ちプランクの曲線及び拡張されたプランクの曲線の両方に垂直に延びている。複合的な曲線から出発し、且つこの複合的な曲線に沿って、並びにジャッド直線に沿って、全体の色空間を推定及びアドレッシングすることができる。
【００３２】
クラス分類は、プランクの曲線及び拡張されたプランクの曲線から成る複合的な曲線のみを基礎としている事実に基づき、クラス分類方法を考えられるあらゆる公知の色空間系に変換することができ、従って、例えばＣＩＥ及び別の標準化委員会により場合によって提供される革新的な色空間にも適合させることができる。
【００３３】
本方法の少なくとも一つの実施の形態によれば、複数の色度座標領域から成るグループの中から選択された各色度座標領域の大きさは、観察者が同一の色度座標領域に由来する色に関して差異を認識できないように選択される。
【００３４】
即ち、個々の色度座標領域への分類は、観察者が同一の色を認識する色度座標が同一の色度座標領域内に位置するように行なわれる。
【００３５】
各色度座標領域の大きさは有利には、その大きさが最大でも、３ステップマクアダム楕円の面積に対応するように選択される。特に有利には、複数の色座領域のグループから選択された各色度座標領域の大きさは、ほぼ又は最大で１ステップマクアダム楕円に対応する。
【００３６】
このことは例えば、複合的な曲線に沿った、複数の色度座標領域から成るグループの中から選択された各色度座標領域の広がりはＣＩＥｕ’ｖ’色空間において少なくとも０．００１且つ最大で０．００５である。更にこの場合、ジャッド直線に沿った、複数の色度座標領域から成るグループの中から選択された各色度座標領域の広がりはＣＩＥｕ’ｖ’色空間において少なくとも０．００１且つ最大で０．００５である。例えば、ＣＩＥｕ’ｖ’色空間において０．００２を有する両方向における広がりが選択される。
【００３７】
この記述を他の複数の色空間に変換することができる。広がりの選択は単一の自由パラメータを表す。ここではパラメータが、複数の色度座標領域から成るグループの中から選択された、そのようにして張られている色度座標領域が、ほぼ１ステップマクアダム楕円に対応する大きさを有するように物理的に有意義に選択されている。
【００３８】
本方法の少なくとも一つの実施の形態によれば、所定の色度座標領域についての情報、即ち、放射放出オプトエレクトロニクス半導体素子が分類されているクラスがメモリユニットに記憶され、この記憶ユニットは例えば放射放出オプトエレクトロニクス半導体素子のためのモジュール支持体上に固定されており、また必要に応じてこのモジュール支持体に電気的に接続されている。
【００３９】
モジュール支持体は例えば、プリント回路基板又は金属コアプレートのような回路基板で良く、この回路基板上には放射放出オプトエレクトロニクス半導体素子も固定されており、且つ電気的に接続されている。以下では、実施例及び所属の図面に基づき、本発明による、放射放出オプトエレクトロニクス半導体素子のクラス分類方法を詳細に説明する。
【図面の簡単な説明】
【００４０】
【図１Ａ】ＣＩＥ−ＸＹ色空間を示す。
【図１Ｂ】種々の色温度に関する黒体のスペクトルを示す。
【図２Ａ】複合的な曲線及びこの複合的な曲線に平行な線並びにジャッド直線によって張られる空間を示す。
【図２Ｂ】ＣＩＥｕ’ｖ’色空間の拡大図を示す。
【図２Ｃ】拡張されたプランクの曲線を示す。
【図３】所定の色度座標領域のアドレス空間を示す。
【図４】オプトエレクトロニクス半導体素子の概略的な平面図を示す。
【発明を実施するための形態】
【００４１】
図１Ａ、１Ｂ、２Ａ、２Ｂ、２Ｃ、３に基づき、本発明による方法を詳細に説明する。
【００４２】
図４の概略的な平面図に基づき、本方法によりクラス分けされた放射放出オプトエレクトロニクス半導体素子を有するオプトエレクトロニクス半導体モジュールを詳細に説明する。
【００４３】
図面において、同一、同様又は同機能の要素には同一の参照符号を付している。図及び図示した要素相互の大きさの比率は縮尺通りではないことに注意されたい。むしろ、個々の要素の中には、理解及び／又は説明を容易にするために意図的に拡大して表示したものがある。
【００４４】
図１ＡにはＣＩＥ−ＸＹ色空間がグラフ状にプロットされている。馬蹄状の色空間は上方ではスペクトル軌跡２によって縁取られており、且つ、下方では純紫軌跡３によって閉じられている。色空間内にはプランクの曲線１１が示されており、このプランクの曲線１１はジャッド（Judd）直線（等温線：Isotherm）によって区切られている。プランクの曲線１１は、温度０Ｋの点Ｔ０から、無限大に近付く温度を表す点Ｔｕへと延びている。プランクの曲線１１は水色の色度座標領域において終端している。
【００４５】
ここでは、プランクの曲線１１は複合的な曲線１に拡張されている。
【００４６】
これに関して、プランクの曲線１１には高温終点Ｔｕにおいて拡張されたプランクの曲線１２が繋がっている。複合的な曲線１は点Ｔｕにおいて有利には少なくとも一回連続微分可能である。拡張されたプランクの曲線１２は高温終点Ｔｕから３８０ｎｍの波長の点Ｓへと延びている。ここでは点Ｓが、スペクトル軌跡２と純紫軌跡３との交点である。
【００４７】
上述したように、例えば発光ダイオードの従来のクラス分類方法は、色温度を対応付けることができるか、又はジャッド直線４を用いて相関色温度を対応付けることができる色度座標のみに関連付けられている。その他の色度座標、例えば青色の色度座標領域は、複合的な曲線１を介してクラス分類に使用することができる。
【００４８】
図１Ｂには黒体のスペクトルが種々の色温度に関してプロットされている。この図においては、複数の曲線が無限大に近付く色温度、即ち点Ｔｕに集束していることが見て取れる。０付近の温度に関しては大きい指数的な上昇が生じ、また「等色関数（color matching functions）」Ｘ，Ｙ，Ｚの値は８００ｎｍより大きい波長に関して０に近付く。
【００４９】
ここでは高温終点Ｔｕが曲線を描く座標系の構造に関する出発点として選定される。即ち、高温終点Ｔｕは座標系の０点又は原点を形成する。高温終点Ｔｕは、光が材料を通過するか否か、またどのような材料を光が通過するかに依存しないという利点を有している。高温終点は特に、真空及び空気中のプランクの曲線に関して同一のものである。
【００５０】
図２Ａにプロットされているグラフに基づき、本発明によるクラス分類方法を詳細に説明する。図２Ａは複合的な曲線１を示す。複合的な曲線１及びこの複合的な曲線１に平行な線１３並びにジャッド直線４によって空間が張られ、この空間を図示されている二つのパラメータ、即ち複合的な曲線１上の経路長を表すｐと、ジャッド直線４上の経路長を表すｊとによってパラメータ化することができる。
【００５１】
経路長ｐ，ｊの長さは、それらの経路長によって張られた所定の色度座標領域６（即ち放射放出オプトエレクトロニクス半導体素子２０の色度座標８を分類することができるクラス）が１ステップマクアダム楕円５にほぼ対応している大きさを有しているように選定される。この場合、一つの所定の色度座標領域６内の色度座標８の変動を観察者は認識することはできない。
【００５２】
このためにｐ及びｊは、マクアダム楕円がほぼ円形であるＣＩＥｕ’ｖ’色空間においては、例えばｐ＝０．００２及びｊ＝０．００２に選定されている。それらの経路長を他の複数の色空間に変換することができる。
【００５３】
図２ＡにおいてはＡＮＳＩクラス９も示されている。それらのクラス９は、プランクの曲線１１に関してセンタリングされていない、異なる大きさを有していることが見て取れる。更にクラス分類は、色空間の制限的な領域においてしか実現できない。
【００５４】
図２Ｂには、ＣＩＥｕ’ｖ’色空間の拡大された部分が複合的な曲線１と共に示されている。
【００５５】
図２Ｃにプロットされているグラフに基づき、拡張されたプランクの曲線１２の構成を詳細に説明する。拡張されたプランクの曲線１２は、上述したようなＣＩＥｕ’ｖ’色空間における構成点Ｔｕ、Ｐ、Ｓを用いてベジェスプラインとして構成されている。即ち、スプラインをＣＩＥｕ’ｖ’色空間において例えば以下のように表すことができる：
スプライン（ｔ）＝Ｔｕ＊（１−ｔ）＾２＋Ｐ＊ｔ＊（１−ｔ）＋Ｓ＊ｔ＾２、但しｔは［０；１］の範囲にある
【００５６】
第１の構成点は、プランクの曲線１１の高温終点Ｔｕであり、この高温終点ＴｕはＣＩＥｕ’ｖ’色空間において座標ｕ’＝０．１８０１；ｖ’＝０．３９５３を有している。
【００５７】
第２の構成点Ｓはここでは、光がスペクトル軌跡２上で３８０ｎｍの波長を有している点である。点Ｓは座標ｕ’＝０．２５６８、ｖ’＝０．０１６５を有している。
【００５８】
第３の構成点Ｐとしてここでは、高温終点Ｔｕにおけるスペクトル軌跡２と接線１４との交点が選定される。点Ｐの座標はｕ’＝０．１４１２、ｖ’＝０．１５５９である。
【００５９】
これらの構成点の選択は使用される色空間系に依存せず、従って、プランクの曲線１１の延長に殊に良好に適している。しかしながら、プランクの曲線の他の有意義な延長も考えられる。ここで説明するクラス分類方法を別の複合的な曲線にも適用することができる。
【００６０】
図２Ｃには、ジャッド直線４が示されており、このジャッド直線４はＣＩＥ（ｕ，ｖ）色空間において複合的な曲線から垂直に延びている。変換されたｕ’−ｖ’色空間においては、この直交性はもはや存在していない。
【００６１】
図３に基づき、所定の色度座標領域のアドレッシングを詳細に説明する。所定の色度座標領域のアドレス空間は、上述したように、経路長ｐ及びｊによって張られる。
【００６２】
ここでは以下の術語が選択される：プランクの曲線１１に沿って、経路長ｐは高温終点Ｔｕから離れる方向においてプラスにカウントされ、ｐＸＸＸでナンバリングされる。ここでＸは１で始まる。
【００６３】
拡張されたプランクの曲線１２に沿って、距離はｎＸＸＸでナンバリングされる。
【００６４】
相応に、ジャッド直線４に沿った距離は、複合的な曲線１の上ではｊＸＸでナンバリングされ、複合的な曲線１の下ではｋＸＸでナンバリングされる。
【００６５】
従って、放射放出半導体素子の色度座標８が存在する、図中の所定の色度座標領域６はアドレスｐ００４ｊ０３を有している。この所定の色度座標領域６は、複数の色度座標領域から成る比較的大きいグループ７内に存在しており、そのアドレス空間を以下のように表すことができる：ｐ００２ｋ０３−ｐ００４ｊ０３。
【００６６】
即ち、放射放出オプトエレクトロニクス半導体素子の本発明によるクラス分類方法は、任意の色空間の所定の色度座標領域の区分のみを実現するのではなく、各色度座標領域、即ち各クラスの一貫性のあるアドレッシングも実現する。従って、一義的な術語によって、個々の色度座標領域６又は色度座標領域の組み合わせ７を表すことができる。
【００６７】
図４には、モジュール支持体２２を備えているオプトエレクトロニクス半導体素子が概略的な平面図で示されている。モジュール支持体２２は例えば回路基板、例えば金属コアプレート又はプリント回路基板である。モジュール支持体２２の上にはケーシング２３、例えばセラミック支持体が被着されており、このセラミック支持体は三つの放射放出オプトエレクトロニクス半導体素子２０、例えば発光ダイオードチップを担持している。
【００６８】
それらの半導体素子２０はそれぞれ本発明による方法によって所定の色度座標領域に分類されている。例えば、動作時にそれらの半導体素子２０から放出される光はそれぞれ同一のクラスに属する色度座標を有している。
【００６９】
それらの半導体素子２０において求められている測定値、即ち、例えば半導体素子２０が分類されている所定の色度座標領域のアドレスは電子メモリユニット２１に格納されている。この電子メモリユニット２１は同様にモジュール支持体２２上に固定されており、且つモジュール支持体２２に電気的に接続されている。端子２４を介してモジュールに外部から接触接続することができる。この端子２４を介して色度座標情報もメモリユニット２１から読み出すことができる。
【００７０】
総じて、ここでは放射放出半導体素子の非常にフレキシブルなクラス分類方法が提供されている。本方法を種々の色空間系に適応させることができる。更には、本方法をプランクの曲線が真空において決定されるか空気中で決定されるかに依存せずに実施することができる。更には、この方法を他の光形成モジュール、例えば蛍光ランプ、放電ランプ又はエレクトロルミネセンスランプにも適用することができる。
【００７１】
本発明は実施例に基づく上記の説明によってそれらの実施例に限定されるものではない。むしろ本発明はあらゆる新規の特徴並びにそれらの特徴のあらゆる組み合わせを含むものであり、これには殊に特許請求の範囲に記載した特徴の組み合わせ各々が含まれ、このことはそのような組み合わせ自体が特許請求の範囲あるいは実施例に明示的には記載されていないにしても当てはまる。
【００７２】
本願は、ドイツ連邦共和国特許出願第102009056665.1号の優先権を主張するものであり、その開示内容は参照により本願に含まれるものとする。
【図１Ａ】
2013513228.tif 000003
【図１Ｂ】
2013513228.tif 000004
【図２Ａ】
2013513228.tif 000005
【図２Ｂ】
2013513228.tif 000006
【図２Ｃ】
2013513228.tif 000007
【図３】
2013513228.tif 000008
【図４】
2013513228.tif 000009
【国際調査報告】
2013513228.tif 000010
2013513228.tif 000011
2013513228.tif 000012
2013513228.tif 000013
2013513228.tif 000014
2013513228.tif 000015
2013513228.tif 000016
2013513228.tif 000017
2013513228.tif 000018
2013513228.tif 000019